(57)【要約】【課題】  両面印刷可能な画像形成装置において、画像形成不良の発生を抑制する。【解決手段】  載置されるシートを第１サイドガイド２３側に寄せるためのアタッチメント３０を取付可能とする。これにより、アタッチメント３０が取り付けられた状態では、載置部１７Ａから搬送されるシートは、アタッチメント３０が取り付けられていないときに比べて、再搬送ガイド側、つまり幅方向一端側に寄った状態で画像形成部に搬送される。したがって、再搬送されるシートの幅方向寸法が小さい場合であっても、再搬送部にシートが存在する間、つまりシートが画像形成部に到達する前までに当該シートを再搬送ガイドまで寄せることができ得る。延いては、画像形成不良の発生を抑制することができ得る。【選択図】図４
2015098394.tif 000002
【特許請求の範囲】
【請求項１】
シートの表裏両面に画像を形成することが可能な画像形成装置において、
シートに画像を形成する画像形成部と、
前記画像形成部に搬送されるシートが載置される載置部と、
前記載置部に設けられ、搬送方向と直交する幅方向両側からシートに接触してシートの搬送を案内するとともに、互いに連動して前記幅方向に変位可能な第１サイドガイド及び第２サイドガイドであって、前記幅方向一端側に位置する第１サイドガイド及び前記幅方向他端側に位置する第２サイドガイドと、
一方のシート面に画像が形成されたシートを前記画像形成部の入口側に再搬送する再搬送部と、
前記再搬送部のうち前記幅方向一端側に設けられ、搬送されるシートの前記幅方向一端に接触してシートの再搬送を案内する再搬送ガイドと、
前記再搬送部に設けられ、搬送されるシートを前記再搬送ガイド側に寄せる斜行部と、
前記第２サイドガイド及び前記載置部のうち少なくとも一方に設けられ被取付部であって、載置されるシートを前記第１サイドガイド側に寄せるためのアタッチメントが取付可能な被取付部と
を備えることを特徴とする画像形成装置。
【請求項２】
前記載置部には、前記アタッチメントが取り付けられたときに、当該アタッチメントが前記幅方向に変位することを規制する規制部が設けられていることを特徴とする請求項１に記載の画像形成装置。
【請求項３】
前記規制部は、前記アタッチメントと係合する凸部又は凹部により構成されていることを特徴とする請求項２に記載の画像形成装置。
【請求項４】
前記規制部は、前記アタッチメントに設けられた凸部と係合する凹部により構成されていることを特徴とする請求項２又は３に記載の画像形成装置。
【請求項５】
前記規制部は、
前記第２サイドガイドが予め決められた位置にあるときにのみ前記アタッチメントと係合可能となり、かつ、
前記アタッチメントが取り付けられたときに、当該アタッチメントが前記幅方向に変位することを規制する
ことを特徴とする請求項２ないし４のいずれか１項に記載の画像形成装置。
【請求項６】
前記被取付部は前記第２サイドガイドに設けられていることを特徴とする請求項１ないし５のいずれか１項に記載の画像形成装置。
【請求項７】
前記載置部から前記画像形成部にシートが供給されるときには、前記幅方向中央を基準としてシートが搬送され、かつ、前記再搬送部から前記画像形成部にシートが供給されるときには、前記幅方向一端を基準としてシートが搬送されることを特徴とする請求項１ないし６のいずれか１項に記載の画像形成装置。
【請求項８】
シートの表裏両面に画像を形成することが可能な画像形成装置において、
シートに画像を形成する画像形成部と、
前記画像形成部に搬送されるシートが載置される載置部と、
前記載置部に設けられ、搬送方向と直交する幅方向両側からシートに接触してシートの搬送を案内するとともに、互いに連動して前記幅方向に変位可能な第１サイドガイド及び第２サイドガイドであって、前記幅方向一端側に位置する第１サイドガイド及び前記幅方向他端側に位置する第２サイドガイドと、
一方のシート面に画像が形成されたシートを前記画像形成部の入口側に再搬送する再搬送部と、
前記再搬送部のうち前記幅方向一端側に設けられ、搬送されるシートの前記幅方向一端に接触してシートの再搬送を案内する再搬送ガイドと、
前記再搬送部に設けられ、搬送されるシートを前記再搬送ガイド側に寄せる斜行部と、
前記第２サイドガイドに設けられ、載置されるシートを前記第１サイドガイド側に寄せるためのアタッチメントと、
前記アタッチメントの本体部に設けられ、当該アタッチメントを前記第２サイドガイド及び前記載置部のうち少なくとも一方に取り付けるための取付部であって、前記本体部から突出した突起部、及び前記突起部の先端から当該突起部の突出方向と直交する方向に延びる係止部を有してＬ字状に湾曲した取付部と
を備えることを特徴とする画像形成装置。
【請求項９】
前記載置部には、前記アタッチメントが取り付けられたときに、前記アタッチメントが前記幅方向に変位することを規制するとともに、前記アタッチメントが前記係止部の延び方向に変位することを許容する規制部が設けられていることを特徴とする請求項６に記載の画像形成装置。
【請求項１０】
前記載置部から前記画像形成部にシートが供給されるときには、前記幅方向中央を基準としてシートが搬送され、かつ、前記再搬送部から前記画像形成部にシートが供給されるときには、前記幅方向一端を基準としてシートが搬送されることを特徴とする請求項８又は９に記載の画像形成装置。
【請求項１１】
シートに画像を形成する画像形成部、
前記画像形成部に搬送されるシートが載置される載置部、
前記載置部に設けられ、搬送方向と直交する幅方向両側からシートに接触してシートの搬送を案内するとともに、互いに連動して前記幅方向に変位可能な第１サイドガイド及び第２サイドガイドであって、前記幅方向一端側に位置する第１サイドガイド及び前記幅方向他端側に位置する第２サイドガイド、
一方のシート面に画像が形成されたシートを前記画像形成部の入口側に再搬送する再搬送部、
前記再搬送部のうち前記幅方向一端側に設けられ、搬送されるシートの前記幅方向一端に接触してシートの再搬送を案内する再搬送ガイド、並びに
前記再搬送部に設けられ、搬送されるシートを前記再搬送ガイド側に寄せる斜行部を備える画像形成装置に適用されるアタッチメントであって、
載置されるシートを前記第１サイドガイド側に寄せるための本体部、及び当該本体部を前記第２サイドガイド及び前記載置部のうち少なくとも一方に取り付けるための取付部を有することを特徴とするサイドガイド用のアタッチメント。
【請求項１２】
前記取付部は、前記本体部から突出した突起部、及び前記突起部の先端から当該突起部の突出方向と直交する方向に延びる係止部を有してＬ字状に湾曲していることを特徴とする請求項１１に記載のアタッチメント。
【発明の詳細な説明】
【技術分野】
【０００１】
本発明は、シートの表裏両面に画像を形成することが可能な画像形成装置、及び当該画像形成装置に組み付けられるアタッチメントに関する。
【背景技術】
【０００２】
例えば、特許文献１に記載の発明は、シートの表裏両面に画像を形成する機能（以下、両面印刷機能ともいう。）を有する画像形成装置である。当該発明に係る画像形成装置においては、以下のようにして表裏両面に画像が形成される。
【０００３】
すなわち、表面に画像が形成される場合には、幅方向中央を基準としてシートの幅方向位置が決められた状態でシートが搬送される。裏面に画像が形成される場合には、幅方向端部を基準としてシートの幅方向位置が決められた状態でシートが搬送される。幅方向とは、搬送されるシートの厚み方向及び搬送方向と直交する方向である。
【先行技術文献】
【特許文献】
【０００４】
【特許文献１】特開２００２−１０４６９４号公報
【発明の概要】
【発明が解決しようとする課題】
【０００５】
特許文献１に記載の発明では、裏面に画像が形成される場合には、幅方向端部が幅方向位置の基準となるので、画像形成部にシートを再搬送する再搬送部には、搬送されるシートを幅方向端部に寄せる斜行部が設けられている。
【０００６】
しかし、再搬送されるシートの幅方向寸法が小さい場合（例えば、Ａ４サイズ以下の場合）には、再搬送部にシートが存在する間、つまりシートが画像形成部に到達する前までに当該シートを幅方向端部まで寄せることができない状態が発生するおそれがある。
【０００７】
この状態が発生すると、シートに形成される画像が本来形成されるべき位置に対してずれてしまうという画像形成不良が発生する。
本発明は、上記点に鑑み、上記画像形成不良の発生を抑制することを目的とする。
【課題を解決するための手段】
【０００８】
本発明は、上記目的を達成するために、シートの表裏両面に画像を形成することが可能な画像形成装置であって、シートに画像を形成する画像形成部（５）と、画像形成部（５）に搬送されるシートが載置される載置部（１７Ａ）と、載置部（１７Ａ）に設けられ、搬送方向と直交する幅方向両側からシートに接触してシートの搬送を案内するとともに、互いに連動して幅方向に変位可能な第１サイドガイド（２３）及び第２サイドガイド（２４）であって、幅方向一端側に位置する第１サイドガイド（２３）及び幅方向他端側に位置する第２サイドガイド（２４）と、一方のシート面に画像が形成されたシートを画像形成部（５）の入口側に再搬送する再搬送部（２１）と、再搬送部（２１）のうち幅方向一端側に設けられ、搬送されるシートの幅方向一端に接触してシートの再搬送を案内する再搬送ガイド（２１Ａ）と、再搬送部（２１）に設けられ、搬送されるシートを再搬送ガイド（２１Ａ）側に寄せる斜行部（２１Ｂ）と、第２サイドガイド（２４）及び載置部（１７Ａ）のうち少なくとも一方に設けられ、載置されるシートを第１サイドガイド（２３）側に寄せるためのアタッチメント（３０）が取付可能な被取付部（２４Ａ、２４Ｂ）とを備えることを特徴とする。
【０００９】
これにより、本発明では、載置されるシートを第１サイドガイド（２３）側に寄せるためのアタッチメント（３０）を取り付けることができる。当該アタッチメント（３０）が取り付けられた状態では、載置部（１７Ａ）から搬送されるシートは、アタッチメント（３０）が取り付けられていないときに比べて、再搬送ガイド（２１Ａ）側、つまり幅方向一端側に寄った状態で画像形成部（５）に搬送される。
【００１０】
したがって、再搬送されるシートの幅方向寸法が小さい場合であっても、再搬送部（２１）にシートが存在する間、つまりシートが画像形成部（５）に到達する前までに当該シートを再搬送ガイド（２１Ａ）まで寄せることができ得る。延いては、上記画像形成不良の発生を抑制することができ得る。
【００１１】
なお、本発明においては、アタッチメント（３０）は発明の必須要件ではない。つまり、本発明はアタッチメント（３０）が取付可能な構成であって、メーカ出荷時点においてアタッチメント（３０）を備えていない画像形成装置、及びメーカ出荷時点からアタッチメント（３０）を備えている画像形成装置のいずれでもよい。
【００１２】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１３】
【図１】本発明の実施形態に係る画像形成装置１の中央断面図である。
【図２】再搬送部２１の斜視図である。
【図３】給紙トレイ１７の斜視図である。
【図４】（ａ）及び（ｂ）は第１サイドガイド２３及び第２サイドガイド２４、並びにアタッチメント３０を示す図である。
【図５】（ａ）はアタッチメント３０が装着された第２サイドガイド２４の上面図である。（ｂ）は図５（ａ）の左側面図である。（ｃ）は図５（ａ）の上面図である。（ｄ）は図５（ａ）の下面図である。
【図６】（ａ）、（ｂ）及び（ｃ）は、アタッチメント３０の取り付けを示す説明図である。
【図７】（ａ）はアタッチメント３０、第２サイドガイド２４及び規制部１７Ｃを示す斜視図である。（ｂ）は規制部１７Ｃ及び凸部３０Ｇを給紙トレイ１７の下面側から見た図である。
【図８】（ａ）は図６（ａ）に示す状態でのアタッチメント３０及び第２サイドガイド２４の上面図である。（ｂ）は図６（ａ）の上面図である。
【発明を実施するための形態】
【００１４】
以下に説明する「発明の実施形態」は実施形態の一例を示すものである。つまり、特許請求の範囲に記載された発明特定事項等は、下記の実施形態に示された具体的手段や構造等に限定されるものではない。
【００１５】
本実施形態は、モノクロ方式の画像形成装置に本発明を適用したものである。各図に付された方向を示す矢印等は、各図相互の関係を理解し易くするために記載したものである。本発明は、各図に付された方向に限定されるものではない。
【００１６】
少なくとも符号を付して説明した部材又は部位は、「複数」や「２つ以上」等の断りをした場合を除き、少なくとも１つ設けられている。以下、本発明の実施形態を図面と共に説明する。
【００１７】
１．画像形成装置の概要
画像形成装置１の筐体３内には、図１に示すように、記録用紙等のシートに画像を形成する画像形成部５が収納されている。本実施形態に係る画像形成部５は、プロセスカートリッジ７、露光器９及び定着器１１等を有する電子写真方式である。
【００１８】
プロセスカートリッジ７は、感光ドラム７Ａ、帯電器７Ｂ及び現像器７Ｃ等を有している。感光ドラム７Ａはシートに転写される現像剤像を担持する。帯電器７Ｂは感光ドラム７Ａを帯電させる。露光器９は帯電した感光ドラム７Ａに静電潜像を形成する。現像器７Ｃは感光ドラム７Ａに現像剤を供給して現像剤像を形成する。
【００１９】
感光ドラム７Ａと対向する位置には転写部１０が配設されている。転写部１０は感光ドラム７Ａに担持されている現像剤像をシートに転写させる。シートに転写された現像剤像は定着器１１にて加熱されてシートに定着する。
【００２０】
定着器１１よりシート搬送方向下流側には、一対の排紙ローラ１２が設けられている。画像が形成されたシートは、一対の排紙ローラ１２によって、筐体３の上面に設けられた排紙トレイ３Ａに排出される。
【００２１】
感光ドラム７Ａよりシート搬送方向上流側には、フィーダ機構１９が設けられている。フィーダ機構１９は、給紙トレイ１７に載置されているシートを１枚ずつ画像形成部５側に向けて送出する。
【００２２】
フィーダ機構１９は、ピックアップローラ１９Ａ、分離ローラ１９Ｂ及び分離パッド１９Ｃ等を有している。ピックアップローラ１９Ａは給紙トレイ１７に載置されているシートを分離ローラ１９Ｂ及び分離パッド１９Ｃ側に送出する。
【００２３】
分離ローラ１９Ｂ及び分離パッド１９Ｃは、複数枚のシートが送出されたときにそれらシートを１枚ずつに分離するとともに、分離された１枚のシートを画像形成部５側に搬送する。給紙トレイ１７は、画像形成部５に搬送されるシートが載置される載置部１７Ａを有する。なお、給紙トレイ１７の詳細は後述する。
【００２４】
給紙トレイ１７は装置値本体に対して着脱自在である。装置本体とは、例えば筐体３やメインフレーム（図示せず。）等の利用者により着脱もしくは交換されない部分をいう。なお、メインフレームは、プロセスカートリッジ７を挟んで両端に配設された略板状の強度部材である。
【００２５】
再搬送部２１は、一方のシート面に画像が形成されたシートを画像形成部５の入口側に再搬送する再搬送ユニットである。すなわち、シートの表裏両面に画像を形成する際には、先ず、一方の面（表面）に画像が形成される。
【００２６】
表面に画像が形成されたシートは、一対の排紙ローラ１２によって搬送方向が逆転されて再搬送部２１に搬送される。再搬送部２１から画像形成部５に供給されたシートは、裏面が感光ドラム７Ａに面した状態となるので、裏面に画像が形成される。
【００２７】
再搬送部２１には、図２に示すように、再搬送ガイド２１Ａ及び斜行部２１Ｂを有する。再搬送ガイド２１Ａは、再搬送部２１のうち幅方向一端側に設けられて再搬送方向に沿って延びる壁面であって、再搬送されるシートの幅方向一端に接触してシートの再搬送を案内する。
【００２８】
幅方向とは、シートの搬送方向と直交する方向のうちシートの厚み方向と直交する方向をいう。本実施形態では、幅方向は画像形成装置１の左右方向と一致し、かつ、幅方向一端側は画像形成装置１の左端側に一致する。
【００２９】
斜行部２１Ｂは再搬送されるシートを再搬送ガイド２１Ａ側に寄せるものである。本実施形態に係る斜行部２１Ｂは、シートに接触して回転する搬送ローラにて構成されている。当該搬送ローラ、つまり斜行部２１Ｂは、再搬送されるシートに対して再搬送ガイド２１Ａに向きの搬送力を付与する。
【００３０】
一対の再搬送ローラ２１Ｃは、再搬送ガイド２１Ａに寄せられたシートを画像形成部５の入口に向けて送出する搬送ローラである。一対の再搬送ローラ２１Ｃ及び斜行部２１Ｂを回転させる駆動力は、装置本体から供給される。駆動シャフト２１Ｄ、２１Ｅは、一対の再搬送ローラ２１Ｃに駆動力を伝達する。
【００３１】
２．給紙トレイ
２．１  給紙トレイの構成
図３に示すように、載置部１７Ａは、給紙トレイ１７の底板部を構成する部位であって、シートが上下方向に積載載置される部位である。押圧板１７Ｂはシートをピックアップローラ１９Ａ側に変位させることにより、ピックアップローラ１９Ａとシートとの接触圧力が所定の接触圧力未満となることを抑制する。
【００３２】
載置部１７Ａには、第１サイドガイド２３及び第２サイドガイド２４が設けられている。第１サイドガイド２３は、載置部１７Ａの幅方向一端（本実施形態では左端）側に設けられている。第２サイドガイド２４は、載置部１７Ａの幅方向他端（本実施形態では右端）側に設けられている。
【００３３】
そして、第１サイドガイド２３は、載置部１７Ａに載置されたシートの幅方向一端（本実施形態では左端）に接触してシート搬送を案内する。第２サイドガイド２４は、載置部１７Ａに載置されたシートの幅方向他端（本実施形態では右端）に接触してシート搬送を案内する。
【００３４】
第１サイドガイド２３及び第２サイドガイド２４は、互いに連動して幅方向に変位可能であって、載置部１７Ａの幅方向中央に対して常に対称となる部位に位置する。このため、載置部１７Ａに載置されたシートは、シートの大きさによらず、その幅方向中央の位置が、載置部１７Ａに対して常に同一の位置に位置した状態で画像形成部５に向けて搬送される。
【００３５】
したがって、シートの表面に画像が形成されるとき、つまり載置部１７Ａから画像形成部５にシートが供給されるときには、幅方向中央を基準としてシートが搬送される。シートの裏面に画像が形成されるとき、つまり再搬送部２１から画像形成部５にシートが供給されるときには、当該シートは斜行部２１Ｂにより再搬送ガイド２１Ａ側に寄せられるので、当該シートは幅方向一端を基準としてシートが搬送される。
【００３６】
２．２  アタッチメント
第２サイドガイド２４には、図４（ａ）に示すように、アタッチメント３０が取付可能である。図４（ｂ）に示すように、アタッチメント３０が第２サイドガイド２４に取り付けられた状態では、載置部１７Ａに載置されるシートの幅方向中央は、アタッチメント３０が第２サイドガイド２４に取り付けられていない場合に比べて、第１サイドガイド２３側、つまり左端に寄った状態となる。
【００３７】
すなわち、第２サイドガイド２４にアタッチメント３０が装着されていない状態では、載置部１７Ａに載置されたシートの幅方向中央は、載置部１７Ａの幅方向中央の位置、つまり第１サイドガイド２３及び第２サイドガイド２４間の中央位置に位置する。
【００３８】
そして、アタッチメント３０が第２サイドガイド２４に装着されると、載置部１７Ａに載置されるシートは、その幅方向一端（本実施形態では左端）が第１サイドガイド２３に接触し、かつ、幅方向他端（本実施形態では右端）がアタッチメント３０に接触した状態となる。
【００３９】
このため、アタッチメント３０が第２サイドガイド２４に装着された状態では、載置部１７Ａに載置されたシートの幅方向中央は、アタッチメント３０及び第１サイドガイド２３間の中央位置、つまり載置部１７Ａの幅方向中央より幅方向一端（本実施形態では左端）にずれた位置に位置する。
【００４０】
利用者は、図５（ａ）〜図５（ｄ）に示すように、第２サイドガイド２４に設けられた第１被取付部２４Ａ及び一対の第２被取付部２４Ｂを介してアタッチメント３０を第２サイドガイド２４、つまり給紙トレイ１７に着脱自在に取り付けることができる。
【００４１】
アタッチメント３０の本体部３０Ａには第１取付部３０Ｂ及び一対の第２取付部３０Ｃが設けられている。本体部３０Ａは、シートの幅方向他端に接触してシートを第１サイドガイド２３側に寄せるための部位である。
【００４２】
第１取付部３０Ｂは第１被取付部２４Ａと係合する。一対の第２取付部３０Ｃそれぞれは各第２被取付部２４Ｂと係合する。第１取付部３０Ｂは、図５（ａ）に示すように、突起部３０Ｄ及び係止部３０Ｅを有してＬ字状に湾曲したフックにて構成されている。
【００４３】
突起部３０Ｄは本体部３０Ａから突出した部位である。係止部３０Ｅは、突起部３０Ｄの先端から当該突起部３０Ｄの突出方向と直交する方向に延びる部位である。図６（ｃ）に示すように、第２取付部３０Ｃも突起部３０Ｄ及び係止部３０Ｅを有してＬ字状に湾曲したフックにて構成されている。
【００４４】
第１取付部３０Ｂ及び第２取付部３０Ｃは、本体部３０Ａと共に樹脂にて一体成形されている。なお、第１取付部３０Ｂの係止部３０Ｅには、第１被取付部２４Ａとの係合状態を保持するための係合突起３０Ｆが一体成形にて設けられている。
【００４５】
図５（ａ）に示すように、第１被取付部２４Ａは第２サイドガイド２４の端部に設けられた壁状の補強リブに設けられている。一対の第２被取付部２４Ｂは、第２サイドガイド２４のうち載置部１７Ａと平行な面に設けられた貫通穴及びその周囲の板面により構成されている。
【００４６】
図７（ａ）に示すように、載置部１７Ａには、アタッチメント３０が幅方向に変位することを規制する規制部１７Ｃが設けられている。規制部１７Ｃは、アタッチメント３０に設けられた凸部３０Ｇと係合する凹部により構成されている。当該凹部、つまり規制部１７Ｃは、図７（ｂ）に示すように、載置部１７Ａを貫通した矩形状の貫通穴により構成されている。
【００４７】
規制部１７Ｃを構成する貫通穴のうち幅方向と平行な部位Ａは、凸部３０Ｇのうち幅方向と平行な部位Ｂと略同一の寸法である。このため、給紙トレイ１７にアタッチメント３０が取り付けられたとき、つまり第２サイドガイド２４にアタッチメント３０が取り付けられときには、凹部である規制部１７Ｃに凸部３０Ｇが嵌り込んで係合するので、アタッチメント３０の幅方向変位が規制される。
【００４８】
規制部１７Ｃ、つまり凹部は載置部１７Ａに設けられているため、規制部１７Ｃの位置は不動である。そして、本実施形態では、アタッチメント３０は第２サイドガイド２４に取り付けられる。たがって、利用者は、第２サイドガイド２４が予め決められた位置にあるときにのみアタッチメント３０を給紙トレイ１７に取り付けることができる。
【００４９】
つまり、本実施形態では、アタッチメント３０の凸部３０Ｇと載置部１７Ａの規制部１７Ｃとが係合可能な位置に第２サイドガイド２４が位置したときのみ、利用者はアタッチメント３０を給紙トレイ１７（第２サイドガイド２４）に取り付けることができる。
【００５０】
そして、第２サイドガイド２４が予め決められた位置にあるときにのみ、規制部１７Ｃはアタッチメント３０と係合してアタッチメント３０が幅方向に変位することを規制する。
【００５１】
２．３  アタッチメントの取付
図６（ａ）〜図６（ｂ）は、本体部３０Ａの一部を断面として、第２取付部３０Ｃと第２被取付部２４Ｂとの関係等を図示している。第２被取付部２４Ｂは、図６（ｂ）に示すように、係止部３０Ｅが貫通可能な貫通穴を有している。
【００５２】
利用者がアタッチメント３０を取り付ける際には、先ず、図６（ａ）に示すように、第２サイドガイド２４に対して上方側から下方側にアタッチメント３０を移動させる。このとき、図８（ａ）及び図８（ｂ）に示すように、第１取付部３０Ｂの係止部３０Ｅが本体部３０Ａから離間するように弾性変位した状態となる。
【００５３】
次に、利用者は、図６（ｂ）→図６（ｃ）の順に示されるように、突起部３０Ｄから係止部３０Ｅの延び方向先端に向かう向き、つまり後方側から前方側に向かう向きに、アタッチメント３０を第２サイドガイド２４に対して移動させる。
【００５４】
これにより、図６（ｃ）に示すように一対の第２取付部３０Ｃそれぞれは各第２被取付部２４Ｂと係合するとともに、図５（ａ）に示すように、第１取付部３０Ｂは第１被取付部２４Ａと係合する。
【００５５】
３．本実施形態に係る画像形成装置及びアタッチメントの特徴
本実施形態に係る画像形成装置１では、載置されるシートを第１サイドガイド２３側に寄せるためのアタッチメント３０を給紙トレイ１７に取り付けることができる。
【００５６】
アタッチメント３０が給紙トレイ１７に取り付けられた状態では、載置部１７Ａから搬送されるシートは、アタッチメント３０が取り付けられていないときに比べて、再搬送ガイド２１Ａ側、つまり幅方向一端側に寄った状態で画像形成部５に搬送される。
【００５７】
したがって、再搬送されるシートの幅方向寸法が小さい場合であっても、再搬送部２１にシートが存在する間、つまりシートが画像形成部５に到達する前までに当該シートを再搬送ガイド２１Ａまで寄せることができ得る。延いては、上記画像形成不良の発生を抑制することができ得る。
【００５８】
例えば、幅方向寸法が２１４ｍｍのＡ４サイズに対応するように第１サイドガイド２３及び第２サイドガイド２４の位置を設定した状態で、本体部３０Ａの厚み寸法が１９ｍｍのアタッチメント３０を取り付ければ、幅寸法が１９５ｍｍの１６Ｋサイズのシートにも対応できる。
【００５９】
本実施形態では、アタッチメント３０が幅方向に変位することを規制する規制部１７Ｃが設けられていることを特徴としている。これにより、アタッチメント３０が第２サイドガイド２４に取り付けられたときに、アタッチメント３０が幅方向に移動することが規制されるので、シートを確実に適切な位置に載置でき得る。
【００６０】
本実施形態では、第２サイドガイド２４が予め決められた位置にあるときにのみアタッチメント３０を載置部１７Ａに取り付け可能であることを特徴としている。これにより、利用者がアタッチメント３０を取り付ける場合であっても、設計段階で予め設定された位置にアタッチメント３０を取り付けることができる。
【００６１】
（その他の実施形態）
上述の実施形態に係る画像形成装置１では、メーカ出荷時点からアタッチメント３０を備えていたが、本発明においては、アタッチメント３０は発明の必須要件ではない。つまり、本発明はアタッチメント３０が取付可能な構成であって、メーカ出荷時点においてアタッチメント３０を備えていない画像形成装置でもよい。
【００６２】
上述の実施形態では、第１被取付部２４Ａ及び第２被取付部２４Ｂがいずれも第２サイドガイド２４に設けられていたが、本発明はこれに限定されるものではなく、例えば、第１被取付部２４Ａ及び第２被取付部２４Ｂのうちいずれか一方を第２サイドガイド２４に設け、他方を載置部１７Ａに設ける、又はいずれの被取付部２４Ａ、２４Ｂも載置部１７Ａに設ける等としてもよい。
【００６３】
上述の実施形態では、規制部１７Ｃを設けたが、本発明はこれに限定されるものではなく、規制部１７Ｃを廃止してもよい。
上述の実施形態では、凸部３０Ｇをアタッチメント３０に設け、かつ、凹部である規制部１７Ｃを載置部１７Ａに設けたが、本発明はこれに限定されるものではない。
【００６４】
すなわち、例えば、（１）凸部３０Ｇを載置部１７Ａに設け、かつ、凹部である規制部１７Ｃをアタッチメント３０に設ける、又は（２）凸部３０Ｇをアタッチメント３０に設け、かつ、凹部である規制部１７Ｃを第２サイドガイド２４に設ける、若しくは（３）凸部３０Ｇを第２サイドガイド２４に設け、かつ、凹部である規制部１７Ｃをアタッチメント３０に設ける等としてもよい。
【００６５】
なお、上記（２）若しくは（３）の構成とした場合には、第２サイドガイド２４が予め決められた位置にないときであっても、アタッチメント３０を給紙トレイ１７に取り付けることが可能となる。
【００６６】
また、本発明は、特許請求の範囲に記載された発明の趣旨に合致するものであればよく、上述の実施形態に限定されるものではない。
【符号の説明】
【００６７】
１… 画像形成装置  ３… 筐体  ３Ａ… 排紙トレイ  ５… 画像形成部
７… プロセスカートリッジ  ７Ａ… 感光ドラム  ７Ｂ… 帯電器  ７Ｃ… 現像器
９… 露光器  １０… 転写部  １１… 定着器  １２… 排紙ローラ
１７… 給紙トレイ  １７Ａ… 載置部  １７Ｂ… 押圧板  １７Ｃ… 規制部
１９… フィーダ機構  １９Ａ… ピックアップローラ  １９Ｂ… 分離ローラ
１９Ｃ… 分離パッド  ２１… 再搬送部  ２１Ａ… 再搬送ガイド
２１Ｂ… 斜行部  ２１Ｃ… 再搬送ローラ  ２１Ｄ… 駆動シャフト
２３… 第１サイドガイド  ２４… 第２サイドガイド  ２４Ａ… 第１被取付部
２４Ｂ… 第２被取付部  ３０… アタッチメント  ３０Ａ… 本体部
３０Ｂ… 第１取付部  ３０Ｃ… 第２取付部  ３０Ｄ… 突起部
３０Ｅ… 係止部  ３０Ｇ… 凸部  ３０Ｆ… 係合突起
【図１】
2015098394.tif 000003
【図２】
2015098394.tif 000004
【図３】
2015098394.tif 000005
【図４】
2015098394.tif 000006
【図５】
2015098394.tif 000007
【図６】
2015098394.tif 000008
【図７】
2015098394.tif 000009
【図８】
2015098394.tif 000010